(57)【要約】【課題】商品マスタファイルの価格と、商品に対して印刷するＰＯＰ広告等の価格とが異なることを防止すると共に、担当者の作業を軽減する仕組みを提供すること。【解決手段】携帯端末は、入力された商品を識別する識別情報と当該商品の変更価格とを情報処理装置に送信し、情報処理装置は、携帯端末から受信した識別情報と変更価格とを含む値札を印刷させると、該識別情報と該変更価格とを対応付けて記憶する。そして、携帯端末は、印刷された該値札に含まれる識別情報を読み取り情報処理装置に送信し、情報処理装置は、商品の価格を、該識別情報の商品の該変更価格に変更する。【選択図】図８
2011059890.tif 000002
【特許請求の範囲】
【請求項１】
商品の価格を入力する携帯端末と、売上を計算するために用いる当該商品の価格と当該商品を識別する識別情報を含む商品マスタ情報を記憶する情報処理装置とが通信可能な情報処理システムであって、
前記携帯端末は、
前記商品を識別する識別情報と当該商品の変更価格とを入力する入力手段と、
前記入力手段により入力された識別情報と変更価格とを前記情報処理装置に送信する第１の送信手段と、
前記第１の送信手段による送信の結果、印刷された当該商品の値札に含まれる前記識別情報を読み取る読取手段と、
前記読取手段により読み取られた前記識別情報を前記情報処理装置に送信する第２の送信手段と、
を備え、
前記情報処理装置は、
前記第１の送信手段により前記携帯端末から送信される前記識別情報と前記変更価格とを受信する第１の受信手段と、
前記第１の受信手段で受信した前記識別情報と前記変更価格とを含む値札を印刷させるべく出力する出力手段と、
前記第１の受信手段により受信した前記識別情報と前記変更価格とを対応付けて記憶する記憶手段と、
前記第２の送信手段により前記携帯端末から送信される前記識別情報を受信する第２の受信手段と、
前記第２の受信手段で受信した前記識別情報により識別される、前記商品マスタ情報に含まれる商品の価格を、前記記憶手段で記憶された該識別情報に対応する変更価格に変更する変更手段と、
を備えることを特徴とする情報処理システム。
【請求項２】
前記携帯端末は、
ユーザによる値札のフォームの選択を受け付ける受付手段と、
前記受付手段により受け付けた値札のフォームを識別するフォーム識別情報を前記情報処理装置に送信するフォーム送信手段と、を更に備え、
前記情報処理装置は、
フォームのデータを記憶するフォーム記憶手段を更に備え、
前記第１の受信手段は、更に、前記フォーム送信手段により前記携帯端末から送信されたフォーム識別情報を受信し、
前記第１の受信手段で所定数の前記識別情報を受信したか否かを判定する受信判定手段を更に備え、
前記出力手段は、前記受信判定手段で所定数の前記識別情報を受信したと判定された場合に、更に、前記第１の受信手段により受信したフォーム識別情報から識別される、前記フォーム記憶手段に記憶されたフォームのデータを用いて、前記第１の受信手段で受信した前記識別情報と前記変更価格とを含む値札を印刷させるべく出力することを特徴とする請求項１に記載の情報処理システム。
【請求項３】
前記情報処理装置は、
前記フォーム識別情報に対して前記所定数を記憶する所定数記憶手段を更に備え、
前記受信判定手段は、前記第１の受信手段で受信したフォーム識別情報に対応する、前記所定数記憶手段に記憶された所定数分の商品の識別情報を、前記第１の受信手段で受信したか否かを判定することを特徴とする請求項２に記載の情報処理システム。
【請求項４】
前記情報処理装置は、
前記第１の受信手段でユーザ又は商品の部門を示す部門情報を更に受信し、
前記第１の受信手段で受信した部門情報が、前に受信した部門情報と異なるか否かを判定する部門判定手段と、
前記出力手段は、前記部門判定手段で前に受信した部門情報と異なると判定された場合に出力することを特徴とする請求項１乃至３のいずれか１項に記載の情報処理システム。
【請求項５】
前記情報処理装置は、
前記変更手段により商品マスタ情報の商品の価格が変更価格に変更された場合に、前記携帯端末に通知する通知手段を更に備えることを特徴とする請求項１乃至４のいずれか１項に記載の情報処理システム。
【請求項６】
前記情報処理装置は、
前記第２の受信手段で受信した前記識別情報に対応する変更価格が前記記憶手段に記憶されているか否かを判定する変更価格判定手段と、
前記変更価格判定手段で当該変更価格が前記記憶手段に記憶されていないと判定された場合に、前記携帯端末に警告情報を送信する警告送信手段と、
を更に備え、
前記携帯端末は、
前記警告送信手段により前記情報処理装置から送信される警告情報に従って警告を出力する警告手段と、
を更に備えることを特徴とする請求項１乃至５のいずれか１項に記載の情報処理システム。
【請求項７】
前記値札は商品の価格を含む広告であることを特徴とする請求項１乃至６のいずれか１項に記載の情報処理システム。
【請求項８】
商品の価格を入力する携帯端末と、売上を計算するために用いる当該商品の価格と当該商品を識別する識別情報を含む商品マスタ情報を記憶する情報処理装置とが通信可能な情報処理システムにおける制御方法であって、
前記携帯端末は、
前記携帯端末の入力手段が、前記商品を識別する識別情報と当該商品の変更価格とを入力する入力工程と、
前記携帯端末の第１の送信手段が、前記入力工程により入力された識別情報と変更価格とを前記情報処理装置に送信する第１の送信工程と、
前記携帯端末の読取手段が、前記第１の送信工程による送信の結果、印刷された当該商品の値札に含まれる前記識別情報を読み取る読取工程と、
前記携帯端末の第２の送信手段が、前記読取工程により読み取られた前記識別情報を前記情報処理装置に送信する第２の送信工程と、
を備え、
前記情報処理装置は、
前記情報処理装置の第１の受信手段が、前記第１の送信工程により前記携帯端末から送信される前記識別情報と前記変更価格とを受信する第１の受信工程と、
前記情報処理装置の出力手段が、前記第１の受信工程で受信した前記識別情報と前記変更価格とを含む値札を印刷させるべく出力する出力工程と、
前記情報処理装置の記憶手段が、前記第１の受信工程により受信した前記識別情報と前記変更価格とを対応付けて記憶する記憶工程と、
前記情報処理装置の第２の受信手段が、前記第２の送信工程により前記携帯端末から送信される前記識別情報を受信する第２の受信工程と、
前記情報処理装置の変更手段が、前記第２の受信工程で受信した前記識別情報により識別される、前記商品マスタ情報に含まれる商品の価格を、前記記憶工程で記憶された該識別情報に対応する変更価格に変更する変更工程と、
を備えることを特徴とする情報処理システムの制御方法。
【請求項９】
商品の価格を入力する携帯端末と、売上を計算するために用いる当該商品の価格と当該商品を識別する識別情報を含む商品マスタ情報を記憶する情報処理装置とが通信可能な情報処理システムで実行されるプログラムであって、
前記携帯端末を、
前記商品を識別する識別情報と当該商品の変更価格とを入力する入力手段と、
前記入力手段により入力された識別情報と変更価格とを前記情報処理装置に送信する第１の送信手段と、
前記第１の送信手段による送信の結果、印刷された当該商品の値札に含まれる前記識別情報を読み取る読取手段と、
前記読取手段により読み取られた前記識別情報を前記情報処理装置に送信する第２の送信手段として機能させ、
前記情報処理装置を、
前記第１の送信手段により前記携帯端末から送信される前記識別情報と前記変更価格とを受信する第１の受信手段と、
前記第１の受信手段で受信した前記識別情報と前記変更価格とを含む値札を印刷させるべく出力する出力手段と、
前記第１の受信手段により受信した前記識別情報と前記変更価格とを対応付けて記憶する記憶手段と、
前記第２の送信手段により前記携帯端末から送信される前記識別情報を受信する第２の受信手段と、
前記第２の受信手段で受信した前記識別情報により識別される、前記商品マスタ情報に含まれる商品の価格を、前記記憶手段で記憶された該識別情報に対応する変更価格に変更する変更手段として機能させることを特徴とするプログラム。
【発明の詳細な説明】
【技術分野】
【０００１】
本発明は、情報処理システム及びその制御方法、プログラムに関し、特に、売上計算で用いる商品価格と、商品に対して付す値札等の価格とが異なることを防止する技術に関するものである。
【背景技術】
【０００２】
一般に、スーパーマーケット等の商品棚に、値札や購買時点広告（Ｐｏｉｎｔ  ｏｆ  Ｐｕｒｃｈａｓｅ  Ａｄｖｅｒｔｉｓｉｎｇ（以下、ＰＯＰ広告とも言う））が付されている。また、この値札やＰＯＰ広告に印字された商品価格は、キャッシュレジスター（単にレジとも言う）での売上計算に用いられる商品マスタファイルに登録されている。
【０００３】
スーパーマーケット等では、タイムセール（所定時間内での値引き等）などのセールが行われている。このようなタイムセールの場合、タイムセール時の価格が印字された値札やそのＰＯＰ広告を対象商品の商品棚等に付している。また、レジでの売上を、タイムセール時での価格で計算するために、商品マスタファイルを値引き後の価格に変更しておかなければならない。
従来、ハンディターミナル等の携帯端末を用いて、商品マスタファイルを変更することが特許文献１や特許文献２に開示されている。
【０００４】
特許文献１には、売場担当者が売場でハンディターミナルに入力した商品の変更後価格をハンディターミナルから読み取り、ＰＯＳシステムで用いられる商品マスタファイルに登録された当該商品の価格を、当該読み取った変更後価格に変更することが開示されている。また、商品マスタファイルに登録された当該商品の価格を変更した後に、価格変更する商品の品名、変更前価格及び変更後価格をハンディターミナルのプリンタから印刷することが開示されている。（商品マスタファイルの価格を変更した後に変更後価格の値札を印刷する）
【０００５】
また、特許文献２には、携帯型値札発行機が、ユーザにより入力された商品の変更後価格の値札を発行すると、当該変更後価格を記憶することと、商品情報管理装置が、当該記憶された変更後価格を携帯型値札発行機から読み取ると、商品情報ファイルに記憶されている該商品の価格を、当該読み取られた変更後価格に更新することが開示されている。（変更後価格の値札を発行した後に商品マスタファイルの価格を変更する）
【先行技術文献】
【特許文献】
【０００６】
【特許文献１】特開平１０−２２８５８８号公報
【特許文献２】特開平１１−０７３４６８号公報
【発明の概要】
【発明が解決しようとする課題】
【０００７】
しかしながら、上記従来技術では、携帯端末のプリンタで値札を印刷している。通常、携帯端末のプリンタは小型のモノクロプリンタであるため、カラーのプリンタ付きの携帯端末を使用しなければ、売場でカラーのＰＯＰ広告を携帯端末から印刷することは難しい。
更に、プリンタ付きの携帯端末をスーパーマーケットが所有していない場合は、売場で携帯端末から値札やカラーのＰＯＰ広告を印刷することは困難となる。
【０００８】
そこで、プリンタ付き携帯端末を所有していないスーパーマーケットでは、スーパーマーケットの事務所に設置されているカラー印刷可能な印刷装置（ＭＦＰ等）から、カラーのＰＯＰ広告や値札を印刷することが考えられる。
【０００９】
しかしながら、変更される価格が印字されるＰＯＰ広告及び／又は変更される値札を事務所に設置されている印刷装置から印刷する場合、従来技術では、印刷装置に接続されている事務所内の広告値札作成装置（コンピュータ）に変更する価格をユーザが入力し、当該広告値札作成装置から印刷装置に対してＰＯＰ広告及び／又は値札を印刷しなければならなかった。そして、売上計算に用いられる商品マスタファイルに記憶されている商品の価格も、事務所内の別の商品価格管理装置（コンピュータ）をユーザが操作して商品の価格を変更しなければならなかった。
【００１０】
そのため、ＰＯＰ広告及び／又は変更される値札を事務所に設置されている印刷装置から印刷するタイミングと、商品マスタファイルに記憶されている商品の価格を変更するタイミングとが、ユーザの操作時間が長くなるにつれて大きく異なってしまい、レジでの売上計算で用いられる価格と、実際の売場での値札等での価格とが異なってしまう。
【００１１】
更に、広告値札作成装置（コンピュータ）と商品価格管理装置（コンピュータ）のそれぞれに対して変更後価格などの情報を入力する作業を行わなければならないため、担当者の作業が煩雑となる。
【００１２】
更に、ＰＯＰ広告及び／又は変更される値札を事務所で印刷して、その印刷物をユーザが売場に設置しに行く間は、レジでの売上計算で用いられる商品マスタファイルの価格と、実際の売場での値札の価格とが異なってしまう。
【００１３】
更に、担当者が売場で商品の変更後価格を携帯端末に入力すると、商品マスタファイルの価格が変更後価格に変更されると共に事務所内の印刷装置から変更後価格のＰＯＰ広告などが印刷される仕組みにおいては、印刷されるＰＯＰ広告が１つしか印刷されず効率的に印刷することが困難となる。
【００１４】
更に、変更後価格が携帯端末に入力される都度、印刷されてしまうため、効率的よく値札やＰＯＰ広告を印刷することが困難となる。すなわち、従来は、担当者が担当している商品のＰＯＰ広告を複数まとめて効率的に印刷することが困難であった。
【００１５】
本発明の目的は、商品マスタファイルの価格と、商品に対して印刷するＰＯＰ広告等の価格とが異なることを防止すると共に、担当者の作業を軽減する仕組みを提供することである。
【課題を解決するための手段】
【００１６】
本発明は、商品の価格を入力する携帯端末と、売上を計算するために用いる当該商品の価格と当該商品を識別する識別情報を含む商品マスタ情報を記憶する情報処理装置とが通信可能な情報処理システムであって、前記携帯端末は、前記商品を識別する識別情報と当該商品の変更価格とを入力する入力手段と、前記入力手段により入力された識別情報と変更価格とを前記情報処理装置に送信する第１の送信手段と、前記第１の送信手段による送信の結果、印刷された当該商品の値札に含まれる前記識別情報を読み取る読取手段と、前記読取手段により読み取られた前記識別情報を前記情報処理装置に送信する第２の送信手段と、を備え、前記情報処理装置は、前記第１の送信手段により前記携帯端末から送信される前記識別情報と前記変更価格とを受信する第１の受信手段と、前記第１の受信手段で受信した前記識別情報と前記変更価格とを含む値札を印刷させるべく出力する出力手段と、前記第１の受信手段により受信した前記識別情報と前記変更価格とを対応付けて記憶する記憶手段と、前記第２の送信手段により前記携帯端末から送信される前記識別情報を受信する第２の受信手段と、前記第２の受信手段で受信した前記識別情報により識別される、前記商品マスタ情報に含まれる商品の価格を、前記記憶手段で記憶された該識別情報に対応する変更価格に変更する変更手段と、を備えることを特徴とする。
【００１７】
また、本発明は、商品の価格を入力する携帯端末と、売上を計算するために用いる当該商品の価格と当該商品を識別する識別情報を含む商品マスタ情報を記憶する情報処理装置とが通信可能な情報処理システムにおける制御方法であって、前記携帯端末は、前記携帯端末の入力手段が、前記商品を識別する識別情報と当該商品の変更価格とを入力する入力工程と、前記携帯端末の第１の送信手段が、前記入力工程により入力された識別情報と変更価格とを前記情報処理装置に送信する第１の送信工程と、前記携帯端末の読取手段が、前記第１の送信工程による送信の結果、印刷された当該商品の値札に含まれる前記識別情報を読み取る読取工程と、前記携帯端末の第２の送信手段が、前記読取工程により読み取られた前記識別情報を前記情報処理装置に送信する第２の送信工程と、を備え、前記情報処理装置は、前記情報処理装置の第１の受信手段が、前記第１の送信工程により前記携帯端末から送信される前記識別情報と前記変更価格とを受信する第１の受信工程と、前記情報処理装置の出力手段が、前記第１の受信工程で受信した前記識別情報と前記変更価格とを含む値札を印刷させるべく出力する出力工程と、前記情報処理装置の記憶手段が、前記第１の受信工程により受信した前記識別情報と前記変更価格とを対応付けて記憶する記憶工程と、前記情報処理装置の第２の受信手段が、前記第２の送信工程により前記携帯端末から送信される前記識別情報を受信する第２の受信工程と、前記情報処理装置の変更手段が、前記第２の受信工程で受信した前記識別情報により識別される、前記商品マスタ情報に含まれる商品の価格を、前記記憶工程で記憶された該識別情報に対応する変更価格に変更する変更工程と、を備えることを特徴とする。
【００１８】
また、本発明は、商品の価格を入力する携帯端末と、売上を計算するために用いる当該商品の価格と当該商品を識別する識別情報を含む商品マスタ情報を記憶する情報処理装置とが通信可能な情報処理システムで実行されるプログラムであって、前記携帯端末を、前記商品を識別する識別情報と当該商品の変更価格とを入力する入力手段と、前記入力手段により入力された識別情報と変更価格とを前記情報処理装置に送信する第１の送信手段と、前記第１の送信手段による送信の結果、印刷された当該商品の値札に含まれる前記識別情報を読み取る読取手段と、前記読取手段により読み取られた前記識別情報を前記情報処理装置に送信する第２の送信手段として機能させ、前記情報処理装置を、前記第１の送信手段により前記携帯端末から送信される前記識別情報と前記変更価格とを受信する第１の受信手段と、前記第１の受信手段で受信した前記識別情報と前記変更価格とを含む値札を印刷させるべく出力する出力手段と、前記第１の受信手段により受信した前記識別情報と前記変更価格とを対応付けて記憶する記憶手段と、前記第２の送信手段により前記携帯端末から送信される前記識別情報を受信する第２の受信手段と、前記第２の受信手段で受信した前記識別情報により識別される、前記商品マスタ情報に含まれる商品の価格を、前記記憶手段で記憶された該識別情報に対応する変更価格に変更する変更手段として機能させることを特徴とする。
【発明の効果】
【００１９】
本発明によれば、商品マスタファイルの価格と、商品に対して印刷するＰＯＰ広告等の価格とが異なることを防止すると共に、担当者の作業を軽減させることができる。
【図面の簡単な説明】
【００２０】
【図１】本実施形態に係るシステムの構成例を示す図である。
【図２】図１に示した情報処理装置１００、２００、３００、４００、７００、８００、９００のハードウェア構成を示すブロック図である。
【図３】図１における携帯端末４００が実行する第１の制御処理手順を示すフローチャートである。
【図４】図３のステップＳ３０２の詳細処理を示すフローチャートである。
【図５】商品マスタテーブル１００１の価格を変更する処理を示す図である。
【図６】ＰＯＰ広告を印刷する処理を示す図である。
【図７】ＰＯＰ−ＷＥＢサーバ７００にＰＯＰ広告の出力の依頼を行う処理を示す図である。
【図８】商品マスタテーブルの販売価格を変更（更新）する処理を示すフローチャートである。
【図９】携帯端末４００の表示部に表示される画面である。
【図１０】商品マスタテーブル及び価格変更レコードである。
【発明を実施するための形態】
【００２１】
以下、添付図面を参照して、本発明を好適な実施形態に従って詳細に説明する。
［第１の実施の形態］
本発明の第１の実施の形態を以下に説明する。
＜図１の説明＞
図１は、本実施形態に係るシステムの構成例を示す図である。
【００２２】
図１に示すように、ストアオートメーションサーバ１００とストアコントロールサーバ２００とＰＯＰクライアント３００と複合機６００（カラープリンター）とレジ（ＰＯＳ端末）５００とＰＯＰ−ＷＥＢサーバ７００とＰＯＰ通信サーバ９００と基幹サーバ８００とは、ネットワーク６００を介して相互に通信可能に接続されている。ストアコントロールサーバ２００と携帯端末（ハンディターミナル）４００は、専用回線のネットワークを通じて相互に通信可能に接続されている。また、携帯端末（ハンディターミナル）４００は、携帯端末に備え付けられた無線装置を用いて、例えばネットワーク６００上のストアコントロールサーバ２００に無線通信が可能で接続することができる。  
【００２３】
ストアオートメーションサーバ１００とストアコントロールサーバ２００とＰＯＰクライアント３００とＰＯＰ−ＷＥＢサーバ７００とＰＯＰ通信サーバ９００と基幹サーバ８００は、情報処理装置（コンピュータ）である。また、携帯端末（ハンディターミナル）４００は、携帯可能な可搬型の情報処理装置（コンピュータ）である。レジ（ＰＯＳ端末）５００は、キャッシュレジスターのことを示している。  
【００２４】
複合機（印刷装置）６００は、いわゆるＭＦＰ（Ｍｕｌｔｉｆｕｎｃｔｉｏｎ  Ｐｅｒｉｐｈｅｒａｌ）であって、例えば、プリンタ（印刷装置）とスキャナー、コピー機、ＦＡＸなどの機能を備えた装置である。  
【００２５】
ストアオートメーションサーバ１００とストアコントロールサーバ２００とＰＯＰクライアント３００と複合機６００と携帯端末（ハンディターミナル）４００とレジ（ＰＯＳ端末）５００は、例えばスーパーマーケットの店舗内に配置されている。携帯端末（ハンディターミナル）４００とレジ（ＰＯＳ端末）５００は、店舗内の店頭に配置されている。また、ストアオートメーションサーバ１００とストアコントロールサーバ２００とＰＯＰクライアント３００と複合機６００は、店舗の事務所に設置されている。事務所は、店頭の裏等、店頭からから離れた場所にある。  
【００２６】
また、ＰＯＰ−ＷＥＢサーバ７００とＰＯＰ通信サーバ９００と基幹サーバ８００は、各店舗の売上等のデータの集計や解析を行う会社の本部（データセンター）に設置されている。  
【００２７】
＜図２の説明＞
以下、図２を用いて、図１に示した情報処理装置１００、２００、３００、４００、７００、８００、９００のハードウェア構成について説明する。  図２は、図１に示した情報処理装置１００、２００、３００、４００、７００、８００、９００のハードウェア構成を示すブロック図である。  
【００２８】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣ（情報処理装置）の実行する機能を実現するために必要な後述する各種プログラム等が記憶されている。  
【００２９】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。  
【００３０】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器（表示部）への表示を制御する。なお、図２では、ＣＲＴ２１０と記載しているが、表示器はＣＲＴだけでなく、液晶ディスプレイ等の他の表示器であってもよい。これらは必要に応じて管理者が使用するものである。  
【００３１】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。  
【００３２】
２０８は通信Ｉ／Ｆコントローラで、ネットワーク６００を介して外部機器と接続・通信するものであり、ネットワークでの通信制御処理を実行する。例えば、ＴＣＰ／ＩＰを用いた通信等が可能である。  
【００３３】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。  
【００３４】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられるファイル及び各種テーブル等も、外部メモリ２１１に格納されている。  
【００３５】
＜図３の説明＞
【００３６】
図３は、図１における携帯端末４００が実行する第１の制御処理手順を示すフローチャートである。
【００３７】
図３に示すステップＳ３０１からステップＳ３１３までの処理は、携帯端末４００の外部メモリ２１１に記憶されたプログラムをＣＰＵ２０１が実行することにより実現される。
【００３８】
価格を変更する担当者は携帯端末４００を持ち、担当者（ユーザ）が所属している部門又は価格変更を行う商品の分類を示す部門コードを入力した後、商品に印刷されているバーコード（ＪＡＮコード等）に、携帯端末４００に備え付けられたバーコードリーダ（バーコード読取装置）を近づけることにより、図３に示す処理が開始される。
まず、携帯端末４００のＣＰＵ２０１は、ユーザの指示により部門コードが入力され、バーコードリーダから、商品に印刷されているバーコードをスキャンして読み取る（ステップＳ３０１）。
【００３９】
次に、携帯端末４００のＣＰＵ２０１は、ストアコントロールサーバ２００に、バーコード（商品コード）の読取結果（商品コード）（商品を識別するための識別情報）を送信して、商品コードを読み取った商品の商品名や販売価格の問い合わせ処理を行う（ステップＳ３０２）。
【００４０】
次に、携帯端末４００のＣＰＵ２０１は、ステップＳ３０２での問い合わせ処理の結果、ストアコントロールサーバ２００からエラーを示すデータを受信したか否かを判定する（ステップＳ３０３）。そして、エラーを示すデータを受信したと判定した場合、処理をステップＳ３１２に移行する。一方、エラーを示すデータを受信せず、商品名とその定価及び販売価格をストアコントロールサーバ２００から受信したと判定した場合は、処理をステップＳ３０４に移行する。
【００４１】
ステップＳ３０４では、携帯端末４００のＣＰＵ２０１は、ストアコントロールサーバ２００から受信した商品名とその定価及び販売価格を表示する。図９の９０１に、ここで表示する表示画面の一例を示す。
図９は、携帯端末４００の表示部に表示される画面の一例である。
【００４２】
図９の９０１には、商品コード、商品名、定価、実販売価格（販売価格）が表示されている。また、ボタン９０４は、前画面に戻るためのボタンであり、ボタン９０５は、カーソルを移動させるためのボタンである。ボタン９０５が押下されるとカーソルが移動し、カーソルにより指定される商品コード、商品名、定価、実販売価格（販売価格）を携帯端末４００のキーボードから入力することができ、これらのデータを変更することができる。また、９０６はＯＫボタンであり、９０７は完了ボタン（チェック完了キー）である。
【００４３】
次に、携帯端末４００のＣＰＵ２０１は、担当者（ユーザ）によりＯＫボタン９０６が押下されたか否かを判定し（ステップＳ３０５）、ＯＫボタン９０６が押下されたと判定された場合は、処理をステップＳ３１２に移行する。
ステップＳ３０５でＯＫボタン９０６が押下されていないと判定された場合は、処理をステップＳ３０６に移行する。
【００４４】
ステップＳ３０６では、ユーザによりボタン９０５が押下されカーソルが実販売価格の位置に移動された後に、ユーザによるキーボードからの変更後価格の入力を受け付ける。ここで変更後価格（変更価格とも言う）とは、ステップＳ３０２で取得した実販売価格（販売価格）から変更される価格である。
【００４５】
そして、携帯端末４００のＣＰＵ２０１は、ユーザにより不図示の「次へボタン」が押下されると、図９の９０３の画面を表示する。
【００４６】
図９の９０３には、ＰＯＰフォームを選択できるプルダウンが表示されている。画面９０３は、このプルダウンで表示される複数のＰＯＰフォームの中から、ユーザが任意にＰＯＰフォームを選択することができるようになっている。ここで表示される複数のＰＯＰフォーム（名）を識別する識別情報は、携帯端末に記憶されている。また、ＰＯＰ−ＷＥＢサーバには、当該識別情報により識別されるＰＯＰフォームのデータを記憶している。
【００４７】
そして、携帯端末４００のＣＰＵ２０１は、ユーザの指示によるＰＯＰフォームの選択を受け付けると（ステップＳ３０７）、次に、ＰＯＰキャンペーンの選択を受け付ける（ステップＳ３０８）。
【００４８】
図９の９０３には、ＰＯＰキャンペーンを選択できるプルダウンが表示されている。画面９０３は、このプルダウンで表示される複数のキャンペーンの中から、ユーザが任意にキャンペーンを選択することができるようになっている。ここで、キャンペーンとは、作成するＰＯＰ広告のＰＯＰフォームに印字するキャンペーン名などであり、ステップＳ３０７で選択されたＰＯＰフォームにオーバレイされるデータである。図９の例では、キャンペーン名として、「店長お勧め」が選択されている。ここで表示される複数のキャンペーン（名）を識別する識別情報は、携帯端末に記憶されている。また、ＰＯＰ−ＷＥＢサーバには、当該識別情報により識別されるキャンペーンのデータを記憶している。
【００４９】
次に、携帯端末４００のＣＰＵ２０１は、ステップＳ３０６、Ｓ３０７、Ｓ３０８で入力された商品名、販売価格（変更後価格）、ＰＯＰフォーム、キャンペーンを、携帯端末４００の表示部に表示する（ステップＳ３０９）。その一例を９０３に示す。
【００５０】
そして、携帯端末４００のＣＰＵ２０１は、９０３の確認ボタン９０８がユーザにより押下されると（ステップＳ３１０）、価格変更レコードを生成する（ステップＳ３１１）。一方、確認ボタン９０８がユーザにより押下されない場合は、処理をステップＳ３０６に移行させる。
【００５１】
ステップＳ３１１では、ステップＳ３０６、Ｓ３０７、Ｓ３０８で入力された部門コード、商品名、商品コード、販売価格（変更後価格）、ＰＯＰフォーム、キャンペーンの情報から構成される価格変更レコード（図１０の１００２）を生成する。ここで、価格変更レコード内のＰＯＰフォーム及び／又はキャンペーンの情報が含まれているフィールド部分を、ＰＯＰ作成レコードという。また、ここで、価格変更レコードに含まれるＰＯＰフォームとは、フォームを識別するための識別情報（ＰＯＰ識別情報）のことを示している。また、ここで、価格変更レコードに含まれるキャンペーンの情報とは、キャンペーンを識別するための識別情報（キャンペーンコード）のことを示している。
【００５２】
そして、携帯端末４００のＣＰＵ２０１は、完了ボタン９０７がユーザにより押下されたことを検知すると、ステップＳ３１１で生成された価格変更レコードをストアオートメーションサーバ１００に送信する（ステップＳ３１３）。
【００５３】
一方、ステップＳ３１２で、完了ボタン９０７がユーザにより押下されない場合は、処理をステップＳ３０１に戻す。
【００５４】
＜図４の説明＞
図４は、図３のステップＳ３０２の詳細処理を示すフローチャートである。
【００５５】
図４に示すステップＳ４０１、Ｓ４１０は、携帯端末４００のＣＰＵ２０１が実行することにより実現される。また、図４に示すステップＳ４０２からステップＳ４０９までの処理は、ストアコントロールサーバ２００のＣＰＵ２０１が実行することにより実現される。
【００５６】
まず、携帯端末４００のＣＰＵ２０１は、ステップＳ３０１で読み取った商品コードをストアコントロールサーバ１００に送信する（ステップＳ４０２）。
【００５７】
そして、ストアコントロールサーバ２００のＣＰＵ２０１は、携帯端末４００から商品コードを受信する（ステップＳ４０２）。
【００５８】
次に、ストアコントロールサーバ２００のＣＰＵ２０１は、ステップＳ４０２で取得した商品コードをキーに商品マスタテーブル（商品マスタ情報ともいう）内に、当該商品コードと一致するレコードはあるか否かを検索する（ステップＳ４０３）。
【００５９】
ここで、商品マスタテーブル１００１（図１０）は、ストアコントロールサーバ２００の外部メモリ２１１などの記憶手段に記憶されている。
【００６０】
図１０の１００１に、商品マスタテーブルの一例を示す。
【００６１】
商品マスタテーブルには、店番、商品コード、商品名、定価、実売単価（販売価格）、単位、数量、最終更新日時の項目から構成されている。
【００６２】
携帯端末４００のＣＰＵ２０１は、ステップＳ４０３で、商品コードと一致するレコードが存在すると判定された場合は（ステップＳ４０４：ＹＥＳ）、検索されたレコードが複数あるか否かを判定し（ステップＳ４０５）、複数あると判定された場合は、検索された複数のレコードの中から、実売単価（販売価格）が最安値のレコードを抽出する（ステップＳ４０６）。
【００６３】
携帯端末４００のＣＰＵ２０１は、ステップＳ４０４で、商品コードと一致するレコードが存在しないと判定された場合は（ステップＳ４０４：ＮＯ）、エラーを示すデータを携帯端末に送信する（ステップＳ４０９）。また、ステップＳ４０５で、検索されたレコードが１つと判定された場合は、ステップＳ４０７に処理を移行する。
【００６４】
ステップＳ４０７では、ステップＳ４０６で抽出されたレコード又は、ステップＳ４０３で１つだけ検索されたレコードの中から、商品名と定価と実販売価格（実売単価）を抽出し（ステップＳ４０７）、携帯端末４００に送信する（ステップＳ４０８）。
【００６５】
そして、携帯端末４００のＣＰＵ２０１は、ストアコントロールサーバから送信された商品名と定価と実販売価格（実売単価）を受信すると、処理を図３のステップＳ３０３に移行する。
【００６６】
＜図５の説明＞
図５は、携帯端末４００からの価格変更レコードに従って商品マスタテーブル１００１の価格を変更する処理の一例を示す図である。
【００６７】
図５に示すステップＳ５０１からＳ５０５までの処理は、ストアオートメーションサーバ１００のＣＰＵ２０１が実行することにより実現される。また、ステップＳ５０９からステップＳ５１３までの処理は、ストアコントロールサーバ２００のＣＰＵ２０１が実行することにより実現される。
【００６８】
まず、ストアオートメーションサーバ１００のＣＰＵ２０１は、携帯端末４００がステップＳ３１３で送信した価格変更レコードを受信すると（ステップＳ５０１）、受信したデータが価格変更レコードか否かを判定する（ステップＳ５０２）。そして、受信したデータが価格変更レコードであると判定された場合は（ＹＥＳ）、ストアコントロールサーバに、受信した価格変更レコードを送信する（ステップＳ５０３）。一方、受信したデータが価格変更レコードではないと判定された場合は（ＮＯ）処理を終了する。
【００６９】
次に、ストアオートメーションサーバ１００のＣＰＵ２０１は、ステップＳ５０１で受信した価格変更レコードの中に、ＰＯＰ作成レコードが含まれているか否かを判定する（ステップＳ５０４）。そして、ＰＯＰ作成レコードが含まれていると判定された場合は（ステップＳ５０４：ＹＥＳ）、ステップＳ５０１で受信した価格変更レコードをＰＯＰ−ＷＥＢサーバに送信する（ステップＳ５０５）。一方、ＰＯＰ作成レコードが含まれていないと判定された場合は（ステップＳ５０４：ＮＯ）、処理を終了する。
【００７０】
ストアコントロールサーバ２００のＣＰＵ２０１は、ストアオートメーションサーバ１００がステップＳ５０３で送信した価格変更レコードを受信する（ステップＳ５０９）。
【００７１】
そして、ストアコントロールサーバ２００のＣＰＵ２０１は、価格変更レコードに含まれる商品コードと一致するレコードを商品マスタテーブル１００１の中から検索する（ステップＳ５１０）。
【００７２】
そして、ストアコントロールサーバ２００のＣＰＵ２０１は、ステップＳ５１０で商品コードと一致するレコードが複数検索されたか否かを判定し（ステップＳ５１１）、複数検索されたと判定された場合は、検索された複数のレコードの中から、価格変更レコードに含まれる変更後価格よりも安い販売価格（実売単価）が含まれているレコードを全て削除する（ステップＳ５１２）。
【００７３】
そして、商品マスタテーブルの販売価格（実売単価）を、価格変更レコード内の販売価格に変更し（ステップＳ５１３）、処理を終了する。ステップＳ５１１で商品コードと一致するレコードが複数検索されなかったと判定された場合は、ステップＳ５１３に処理を移行して、商品マスタテーブルの販売価格（実売単価）を、価格変更レコード内の販売価格に変更する。
【００７４】
ステップＳ５１３で、価格変更レコードに含まれる商品コードと一致するレコードがステップＳ５１０で１つ検索された場合は、当該検索されたレコードの販売価格を価格変更レコードに含まれる販売価格に変更（更新）する。また、価格変更レコードに含まれる商品コードと一致するレコードが複数検索された場合は、ステップＳ５１２で対象のレコードを全て削除した後に残る実売単価より大きいレコードの実売単価を変更（更新）する。また、価格変更レコードに含まれる商品コードと一致するレコードが検索されなかった場合は、価格変更レコードのデータから新規に商品マスタテーブルのレコードを生成し、価格変更レコードを登録する。
【００７５】
＜図６の説明＞
図６は、価格変更レコードに従って、ＰＯＰ広告を印刷する処理の一例を示す図である。
図６に示すステップＳ６０１からＳ６０７までの処理は、ＰＯＰ−ＷＥＢサーバ７００のＣＰＵ２０１が実行することにより実現される。
【００７６】
まず、ＰＯＰ−ＷＥＢサーバ７００のＣＰＵ２０１は、ステップＳ５０５でストアオートメーションサーバ１００から送信されたＰＯＰ作成レコードを含む価格変更レコードを受信する（ステップＳ６０１）。
【００７７】
そして、受信した価格変更レコードに含まれる商品コード、商品名、ＰＯＰ識別情報、キャンペーンコード、販売価格から生成するＰＯＰ広告のデータを識別するＰＯＰコードを生成する。ここで、ＰＯＰコードとは、生成するＰＯＰ広告を一意に識別するための識別情報（ＰＯＰ識別情報）（フォーム識別情報とも言う）である。
【００７８】
次に、ステップＳ６０１で受信した、全てのＰＯＰ作成レコードが含まれている価格変更レコードを対象にステップＳ６０２の処理を実行したか否かを判定する（ステップＳ６０３）。そして、全てのＰＯＰ作成レコードが含まれている価格変更レコードに対して、ステップＳ６０２の処理を実行したと判定された場合は、生成されたＰＯＰコードで識別されるＰＯＰ広告の生成を行う（ステップＳ６０４）。一方、ステップＳ６０３で、全てのＰＯＰ作成レコードが含まれている価格変更レコードに対して、ステップＳ６０２の処理を実行していないと判定された場合は、次の価格変更レコードを処理対象としてステップＳ６０２の処理を実行する。
【００７９】
ステップＳ６０４では、ＰＯＰ作成レコードが含まれている価格変更レコードに従ってＰＯＰ広告のデータを生成する処理である。ここで、ステップＳ６０４の処理の詳細を説明する。まず、価格変更レコードに含まれるＰＯＰ識別情報から一意に特定されるＰＯＰフォームのデータをＰＯＰ−ＷＥＢサーバ７００の外部メモリ２１１から取得する。
【００８０】
ここで、ＰＯＰフォームとは、作成するＰＯＰ広告のレイアウトのテンプレートである。ＰＯＰ−ＷＥＢサーバ７００の外部メモリ２１１には、ＰＯＰ識別情報と対応したＰＯＰフォームが記憶されているため、これを参照して、ＰＯＰ識別情報から一意にＰＯＰフォームのデータを特定することができる。
【００８１】
また、ＰＯＰ−ＷＥＢサーバ７００の外部メモリ２１１には、キャンペーンコードに対応したキャンペーン画像のデータが記憶されているため、これを参照して、変更価格レコードに含まれるキャンペーンコードに対応したキャンペーン画像を該外部メモリ２１１から取得することができる。
【００８２】
このようにして取得したＰＯＰフォームと、変更価格レコードに含まれる商品名及び変更後価格と、キャンペーン画像とをオーバレイして、ＰＯＰ広告のデータを生成する。
【００８３】
次に、現在処理対象としているレコード内の部門コード（部門情報）以外に、同一の部門コードがある他のレコードがあるか否かを判定する。そして、次に処理する変更価格レコードに含まれる部門コードが現在と異なるか否かを判定する（ステップＳ６０５）。
【００８４】
そして、他のレコードに同一の部門コードがある、即ち、次に処理するレコードの部門コードは現在と同じであると判定された場合は（ステップＳ６０５：ＮＯ）、処理をステップＳ６０７に移行する。
【００８５】
ステップＳ６０７では、まず、現在処理しているレコードのＰＯＰ識別情報に対応して、ＰＯＰ−ＷＥＢサーバ７００の外部メモリに記憶されている印刷数を取得する。ここで印刷数とは、１枚の用紙に印刷できるＰＯＰ広告の最大数である。
【００８６】
そして、現在処理しているレコードのＰＯＰ識別情報に対応したフォームで作成したＰＯＰ広告の数が、現在処理しているレコードのＰＯＰ識別情報に対応する印刷数に達したか（同一か）否かを判定する（ステップＳ６０７）。ここで、ＰＯＰ識別情報に対応して印刷数（所定数）が記憶されている。
【００８７】
そして、作成したＰＯＰ広告の数が印刷数に達したと判定された場合は（ステップＳ６０７：ＹＥＳ）、ステップＳ６０４で生成されたＰＯＰ広告のデータを１ページに、該印刷枚数分、配置されるＰＤＬ（ページ記述言語）の印刷データを、複合機６００のプリンタドライバを用いて生成する。ここでのプリンタドライバは、ＰＯＰ−ＷＥＢサーバ７００に記憶されているが、他のサーバに記憶させ、そのサーバで生成させてもよい。
そして、生成された印刷データを複合機６００に送信（出力）することにより印刷要求を行う（ステップＳ６０６）。そして、複合機６００が当該印刷データを受信すると、複合機６００が値札やＰＯＰ広告を印刷する。
【００８８】
［第２の実施の形態］
本発明の第２の実施の形態を以下に説明する。
【００８９】
第２の実施の形態は、上述した第１の実施の形態の説明で説明した図１から４までと共通しており、第１の実施の形態の図５の処理の代わりに図７の処理を実行する。そのため、図１から４までの説明は省略する。
【００９０】
＜図７の説明＞
図７は、携帯端末４００からの価格変更レコードに従ってＰＯＰ−ＷＥＢサーバ７００にＰＯＰ広告の出力の依頼を行う処理の一例を示す図である。
図７に示すステップＳ７０１からＳ７０３までの処理は、ストアオートメーションサーバ１００のＣＰＵ２０１が実行することにより実現される。
【００９１】
まず、ストアオートメーションサーバ１００のＣＰＵ２０１は、携帯端末４００がステップＳ３１３で送信した価格変更レコードを受信すると（ステップＳ７０１）、受信した価格変更レコードの中に、ＰＯＰ作成レコードが含まれているか否かを判定する（ステップＳ７０２）。そして、ＰＯＰ作成レコードが含まれていると判定された場合は（ステップＳ７０２：ＹＥＳ）、ステップＳ７０１で受信した価格変更レコードをＰＯＰ−ＷＥＢサーバに送信する（ステップＳ７０３）。ステップＳ７０３で価格変更レコードをＰＯＰ−ＷＥＢサーバに送信する際に、ステップＳ７０１で受信した価格変更レコードをストアオートメーションサーバ１００の外部メモリに記憶する。そして、外部メモリに記憶された価格変更レコードに対して、商品マスタテーブルの販売価格を変更するためのフラグを設定する。
【００９２】
ステップＳ７０２で、ＰＯＰ作成レコードが含まれていないと判定された場合は、処理を終了する。
【００９３】
次に、ストアオートメーションサーバ１００が送信した価格変更レコードを、ＰＯＰ−ＷＥＢサーバ７００が受信すると、ＰＯＰ−ＷＥＢサーバ７００は図６で説明した通りの処理を実行する。
【００９４】
図６に示す処理をＰＯＰ−ＷＥＢサーバ７００が実行された後、担当者が印刷されたＰＯＰ広告を売場に持って行き、ＰＯＰ広告の設置を行う。ここで設置する際に図８に示す処理を実行することにより、商品マスタテーブルの販売価格の変更（更新）を行う。
【００９５】
＜図８の説明＞
図８は、ＰＯＰ広告に印刷された商品のバーコードを読み取ることで商品マスタテーブルの販売価格を変更（更新）する処理の一例を示すフローチャートである。
【００９６】
図８に示すステップＳ８０１、Ｓ８０２、Ｓ８１４、Ｓ８１５の処理は、携帯端末４００のＣＰＵ２０１が実行することにより実現される。また、図８に示すステップＳ８０３からＳ８０５、及びＳ８１２、Ｓ８１３の処理は、ストアオートメーションサーバ１００のＣＰＵ２０１が実行することにより実現される。また、図８に示すステップＳ８０６からＳ８１１の処理は、ストアコントロールサーバ２００のＣＰＵ２０１が実行することにより実現される。
【００９７】
携帯端末４００のＣＰＵ２０１は、設置するＰＯＰ広告に印字された、商品を識別するバーコード（商品コード）をスキャンすることにより読み取る（ステップＳ８０１）。そして、読み取った商品コードをストアオートメーションサーバ１００に送信する（ステップＳ８０２）。
【００９８】
ストアオートメーションサーバ１００のＣＰＵ２０１は、携帯端末４００から送信された商品コードを受信すると（ステップＳ８０３）、ステップＳ７０３で、ストアオートメーションサーバ１００の外部メモリに記憶された複数の価格変更レコードの中から、当該商品コードのある価格変更レコードを検索して特定する。
【００９９】
そして、ここで特定された価格変更レコードに商品マスタテーブルの販売価格を変更するためのフラグが設定されているか否かを判定し（ステップＳ８０４）、フラグが設定されていれば、フラグが設定されている価格変更レコードをストアコントロールサーバ２００に送信する（ステップＳ８０５）。一方、フラグが設定されていないと判定された場合は処理を終了する。
【０１００】
ここでは、フラグが設定されているか否かを判定することにより、価格変更レコードをストアコントロールサーバ２００に送信するか否かを決定する例を示したが、他の方法も紹介する。
【０１０１】
ステップＳ７０３で、ストアオートメーションサーバ１００の外部メモリに記憶された複数の価格変更レコードの中から、当該商品コードのある価格変更レコード（変更後価格を含む）を検索し、当該商品コードのある価格変更レコードが検索されれば、価格変更レコードをストアコントロールサーバ２００に送信する（ステップＳ８０５）。一方、当該商品コードのある価格変更レコードが検索されなければ、携帯端末に、価格変更する商品を間違えている旨の警告を示す情報（警告情報）を送信する。そして、当該情報を受信した携帯端末は、当該情報に従って価格変更する商品を間違えている旨の警告を出力するようにしてもよい。
【０１０２】
次に、ストアコントロールサーバ２００のＣＰＵ２０１は、ストアオートメーションサーバ１００から送信された価格変更レコードを受信する（ステップＳ８０６）。
【０１０３】
ストアコントロールサーバ２００のＣＰＵ２０１が、次に実行するステップＳ８０７からステップＳ８１０までの処理は、ステップＳ５１０からステップＳ５１３までの処理と同じであるため、ここでは説明を省略する。
【０１０４】
ステップＳ８０７からステップＳ８１０の処理により、商品マスタテーブルの販売価格が変更されると、ストアコントロールサーバ２００のＣＰＵ２０１は、販売価格の変更が完了した旨を示す価格変更完了データをストアオートメーションサーバ１００に送信（通知）する（ステップＳ８１１）。
【０１０５】
ストアオートメーションサーバ１００のＣＰＵ２０１は、ストアコントロールサーバ２００から価格変更完了データを受信すると（ステップＳ８１２）、ステップＳ８０５で送信した価格変更レコードに設定されたフラグを解除し（外し）て、携帯端末４００に価格変更完了データを送信する（ステップＳ８１３）。
【０１０６】
携帯端末４００のＣＰＵ２０１は、ストアオートメーションサーバ１００から価格変更完了データを受信すると（ステップＳ８１４）、携帯端末４００の表示部に販売価格が変更された旨の表示を行う。担当者は、この表示を確認してＰＯＰ広告の付け替えを行う。
【０１０７】
以上説明したように、本実施の形態によれば、商品マスタファイルの価格と、商品に対して印刷するＰＯＰ広告等の価格とが異なることを防止すると共に、担当者の作業を軽減させることができる。  
【０１０８】
以上、本発明の一実施形態を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。  具体的には、ストアオートメーションサーバ１００とストアコントロールサーバ２００とが同一筐体の情報処理装置により実現しても構わない。  
【０１０９】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。  
【０１１０】
この場合、記憶媒体から読み出されたプログラムコード自体が前述した実施形態の機能を実現することになり、プログラムコード自体及びそのプログラムコードを記憶した記憶媒体は本発明を構成することになる。  
【０１１１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。  
【０１１２】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。  
【０１１３】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【符号の説明】
【０１１４】
１００    ストアオートメーションサーバ
２００    ストアコントロールサーバ
３００    ＰＯＰクライアント
４００    携帯端末（ハンディターミナル）
５００    レジ（ＰＯＳ端末）
６００    ネットワーク
７００    ＰＯＰ−ＷＥＢサーバ
８００    ＰＯＰ通信サーバ
９００    基幹サーバ
【図１】
2011059890.tif 000003
【図２】
2011059890.tif 000004
【図３】
2011059890.tif 000005
【図４】
2011059890.tif 000006
【図５】
2011059890.tif 000007
【図６】
2011059890.tif 000008
【図７】
2011059890.tif 000009
【図８】
2011059890.tif 000010
【図９】
2011059890.tif 000011
【図１０】
2011059890.tif 000012